(57)【要約】【課題】環境への電波の漏出が少ない無線タグリーダライタを提供する。【解決手段】物品管理装置（リーダライタ１）は、無線タグ１００と通信するアンテナ２０２と、アンテナ２０２を内部に収納し、外側を電波反射体１１Ａによって覆い、内側に電波吸収体１１Ｂを備え、上面に天板１２、投入口１３、及び前記投入口１３の下方から天板１２の下方まで延びるスロープ部材１４を有する筐体１１と、を備える。スロープ部材１４の先端は、天板１２の先端より天板１２の奥側に位置する。【選択図】図７
2017210369.tif 000002
【特許請求の範囲】
【請求項１】
無線タグと通信するアンテナと、
前記アンテナを内部に収納し、外側を電波反射体によって覆い、内側に電波吸収体を備え、上面に天板、投入口、及び前記投入口の下方から前記天板の下方まで延びるスロープ部材を有する筐体と、
を備える物品管理装置。
【請求項２】
前記スロープ部材は、
先端部が前記天板の先端部より前記天板の奥側に位置する請求項１に記載の物品管理装置。
【請求項３】
前記スロープ部材は、
投入される物品が接触する上面に電波反射体を有し、前記電波反射体の下面に電波吸収体を備える請求項１又は請求項２に記載の物品管理装置。
【請求項４】
前記スロープ部材は、
前記筐体の側面に対して４５°以上であって９０°より小さい角度を付けて設置される請求項１から請求項３までのいずれか１項に記載の物品管理装置。
【請求項５】
前記電波反射体は、
ステンレスによって形成される請求項１から請求項４までのいずれか１項に記載の物品管理装置。
【請求項６】
前記電波吸収体は、
前記筐体の内面の一部にのみ設けられる請求項１から請求項５までのいずれか１項に記載の物品管理装置。
【請求項７】
請求項１から請求項６までのいずれか１項に記載の無線タグリーダライタと、
患者に固有に割り当てられる患者コードごと、又は手術ごとに固有に割り当てられるオペコードごとに前記無線タグに固有に割り当てられる無線タグＩＤを格納する患者別実績ファイル、及び前記無線タグリーダライタのリーダライタ本体部に前記無線タグを読み書きする旨の指示を与え、前記無線タグから読み出した前記無線タグＩＤを前記患者別実績ファイルに格納する制御部を備えるリーダライタ用パーソナルコンピュータと、
を備える物品管理システム。
【請求項８】
前記無線タグが設けられる無線タグラベルに印刷するとともに、前記無線タグを読み書きする無線タグプリンタと、
前記無線タグプリンタに印刷指示を行うプリンタ用パーソナルコンピュータと、
をさらに備える請求項７に記載の物品管理システム。
【請求項９】
前記リーダライタ用パーソナルコンピュータは、
相互に有線あるいは無線にて通信可能な外部端末から読取開始の指示を受信した場合、前記無線タグの読取を開始し、読取終了の指示を受信した場合、前記無線タグの読取を終了する請求項７に記載の物品管理システム。
【発明の詳細な説明】
【技術分野】
【０００１】
本発明は、物品管理装置及び物品管理システムに関するものである。
【背景技術】
【０００２】
病院などの医療施設においては、医薬や医材等（以下、利用アイテムという。）が、どの患者に、いつ、どのくらいの量が使用されたかを正しく記録する必要がある。しかし現状においては、この作業は人手によって紙に筆記具を用いて記録する方法によって行われている。従って、効率が悪く、記録の間違えなどが発生しやすいだけでなく、業務負荷が高い。
【０００３】
さらに、記録後に医事請求できるものと、できないもとの振り分けや、医材メーカーや医薬メーカーに支払いをするものと、利用時に不良品であることが判明したため支払いをしないものとに分けており、この作業においても間違えが発生しやすい。
【０００４】
利用アイテムを利用後にそこに貼付されたバーコードを読み取ることによって管理する方法も考えられるが、この方法によってもミスをなくすことは出来ない。
【０００５】
この点に関し、医薬や医材に無線タグを貼付し、使用後にリーダライタによって無線タグを読み取り、コンピュータを用いて管理する方法も考えられる。しかし、医療現場において電波を放射することは、他の医療機器に悪影響を与えることが懸念される。
【０００６】
そこで、リーダライタのアンテナを箱状の筐体によって囲み、この筐体の内部に電波吸収材を貼り付けたリーダライタが提案されている（例えば、特許文献１。）。
【０００７】
しかし、この技術においては、開口部が広いため、この開口部から電波が多く漏れ出す場合があり、周辺の医療機器への影響や、また、周辺の利用アイテムを誤読してしまうなどのリスクがある。
【先行技術文献】
【特許文献】
【０００８】
【特許文献１】特開２００９−１５５１７号公報
【発明の概要】
【発明が解決しようとする課題】
【０００９】
本発明は、環境への電波の漏出が少ない物品管理装置を提供することを課題とする。
【課題を解決するための手段】
【００１０】
前記課題を解決するため、本発明の無線タグリーダライタは、無線タグと通信するアンテナと、前記アンテナを内部に収納し、外側を電波反射体によって覆い、内側に電波吸収体を備え、上面に天板、投入口、及び前記投入口の下方から前記天板の下方まで延びるスロープ部材を有する筐体と、を備える。
【発明の効果】
【００１１】
本発明によれば、環境への電波の漏出が少ない物品管理装置を提供することができる。
【図面の簡単な説明】
【００１２】
【図１】第１の実施形態の無線タグリーダライタを含む無線タグリーダライタシステムの構成を示す図。
【図２】ログファイルのデータ構成を示す図。
【図３】商品マスタ４０４Ｂのデータ構成を示す図。
【図４】患者別実績ファイルのデータ構成を示す図。
【図５】第１の実施形態の無線タグリーダライタシステムのリーダライタ用パーソナルコンピュータの制御部による動作のフローチャート。
【図６】無線タグリーダライタの一例を示す斜視図。
【図７】無線タグリーダライタのＡＡ線断面図。
【図８】無線タグリーダライタの背面図。
【図９】無線タグリーダライタの平面図。
【図１０】無線タグと、リーダライタ本体部の構成例を示すブロック図。
【図１１】第２の実施形態の無線タグリーダライタを含む無線タグリーダライタシステムの構成を示す図。
【図１２】第２の実施形態の無線タグリーダライタシステムのリーダライタ用パーソナルコンピュータの制御部による動作のフローチャート。
【発明を実施するための形態】
【００１３】
以下、本発明の実施形態の一例にかかる物品管理装置及び物品管理システムを、図面を参照しながら説明する。ここで、無線タグは、無線通信可能な記憶媒体を意味し、ＩＣタグ、あるいはＲＦＩＤ（Radio Frequency Identification）と呼ばれることもある。無線タグリーダライタ（以下、リーダライタ１という。）は、無線タグと通信する装置を言い、無線タグへの情報の書き込み又は無線タグからの情報の読み出し、或いは無線タグへの情報の書き込みと読み出しの両方を行う装置である。
【００１４】
（第１の実施形態）
図１は、本実施形態のリーダライタ１を含む物品管理システムの構成を示す図である。図１に示すように、物品管理システムは、リーダライタ１と、リーダライタ用パーソナルコンピュータ（以下、リーダライタ用ＰＣ５００という。）と、を備える。無線タグリーダライタシステムは、別に無線タグプリンタ３００と、プリンタ用パーソナルコンピュータ（以下、プリンタ用ＰＣ４００という。）を備えることができる。リーダライタ用ＰＣ５００はＵＳＢメモリ４０５などの携帯可能な記憶装置と接続することができる。
【００１５】
プリンタ用ＰＣ４００は、演算装置であるＣＰＵ（central processing unit）を含む制御部４０１と、ディスプレイ、キーボード、マウスなどの入出力装置を含む入出力部４０２と、外部の装置と通信を行う通信部４０３と、メモリ、ハードディスクドライブなどの記憶装置を含む記憶部４０４と、を備える。また、プリンタ用ＰＣ４００は、ＵＳＢメモリ４０５などの携帯可能な記憶装置と接続可能であり、並びに、プリンタ４０６と接続する。プリンタ用ＰＣ４００はバーコードリーダと接続可能である。
【００１６】
記憶部４０４は、製品コードごとに無線タグ１００に固有に割り当てられる識別子である無線タグＩＤを格納するログファイル４０４Ａを記憶する。
【００１７】
通信部４０３は無線タグプリンタ３００と接続する。
【００１８】
プリンタ用ＰＣ４００は、入力される製品コードに対して、その製品個体がユニークに識別できるよう、無線タグＩＤを生成する。
【００１９】
無線タグプリンタ３００は、プリンタ用ＰＣ４００からの指示に従って、無線タグ１００に、プリンタ用ＰＣ４００によって生成した無線タグＩＤを書き込むとともに、無線タグ１００に貼付された無線タグラベル３０１に製品コード及び無線タグＩＤを印刷する。
【００２０】
より具体的には、作業者はまず物品３０２に予め貼付されている製品コードのバーコードをプリンタ用ＰＣ４００に接続されたバーコードリーダによって読み取る。バーコードリーダが接続されていない場合には手動にて製品コードを入力する。次にプリンタ用ＰＣ４００は、各物品３０２に固有に割り当てられる無線タグＩＤを発番・生成し、この無線タグＩＤを無線タグラベル３０１の無線タグに書き込むとともに、無線タグラベル３０１のラベルに無線タグＩＤを印刷する旨の指示を無線タグプリンタ３００に与える。無線タグプリンタ３００は指示に従い、無線タグＩＤの無線タグへの書き込みとラベルへの印刷を実行する。
【００２１】
ユーザーは物品３０２一つに対して一枚の無線タグラベル３０１を貼付する。無線タグラベル３０１が貼付された物品は、保管棚に保管され、使用時には、保管棚から取りだされる。そして実際にその物品が使用される際には、物品の内容物が取り出されて使用され、無線タグラベル３０１が貼付された物品の外装はリーダライタ１に投入される。
【００２２】
リーダライタ１は、筐体１１と、リーダライタ本体部２００と、アンテナ２０２と、を備える。リーダライタ本体部２００は、リーダライタ用ＰＣ５００の通信部５０３に接続される。
【００２３】
リーダライタ用ＰＣ５００は、演算装置であるＣＰＵを含む制御部５０１と、ディスプレイ、キーボード、マウスなどの入出力装置を含む入出力部５０２と、外部の装置と通信を行う通信部５０３と、メモリ、ハードディスクドライブなどの記憶装置を含む記憶部５０４と、を備える。
【００２４】
記憶部５０４は、患者に固有に割り当てられる識別子である患者コードごとに、リーダライタ１が読み取った無線タグＩＤを格納する患者別実績ファイル５０４Ａを記憶する。
【００２５】
図２は、ログファイル４０４Ａのデータ構成を示す図である。図２に示すように、ログファイル４０４Ａは、無線タグプリンタ３００が無線タグラベル３０１に印刷した時刻である印刷時刻と、製品コードと、無線タグＩＤと、を格納する。
【００２６】
図３は、商品マスタ４０４Ｂのデータ構成を示す図である。図３に示すように、商品マスタ４０４Ｂは、製品コードごとに製品名を格納する。
【００２７】
図４は、患者別実績ファイル５０４Ａのデータ構成を示す図である。図４に示すように、患者別実績ファイル５０４Ａは、患者コードごとに、無線タグＩＤと、無線タグ１００を読み取って患者別実績ファイル５０４Ａに記録した時刻を示す記録時刻と、を格納する。
【００２８】
図５は、無線タグリーダライタシステムのリーダライタ用ＰＣ５００の制御部５０１による動作のフローチャートである。図５に示すように、ステップ６０１において、制御部５０１は、入出力部５０２から患者コードを入力する。入力する値は、患者コードではなく、手術ごとに固有に割り当てる手術コードなどを入力しても良い。
【００２９】
ステップ６０２において、制御部５０１は読取開始の指示が入力されたかを判定する。制御部５０１は、読取開始の指示が入力されたと判定した場合（ステップ６０２のＹ）、ステップ６０３に進み、読取開始の指示が入力されていないと判定した場合（ステップ６０２のＮ）、ステップ６０５に進む。
【００３０】
ステップ６０３において、制御部５０１はリーダライタ本体部２００を介してリーダライタ１に投入された物品３０２に貼付された無線タグラベル３０１の無線タグ１００を読み取る。読み取りは、読取終了又は読取中断を指示する中断ボタンが押下されるまで、連続して行われる。
【００３１】
ステップ６０４において、制御部５０１は読み取った無線タグ１００の無線タグＩＤと、読取時間と、をメモリに格納する。
【００３２】
ステップ６０５において、制御部５０１は読取終了の指示が入力されたかを判定する。制御部５０１は読取終了の指示が入力されたと判定した場合（ステップ６０５のＹ）、ステップ６０６に進み、読取終了の指示が入力されていないと判定した場合（読取中断の場合、ステップ６０５のＮ）、ステップ６０２に戻る。
【００３３】
ステップ６０６において、制御部５０１はメモリに格納してあった情報を患者別実績ファイル５０４Ａに格納する。
【００３４】
ステップ６０７において、制御部５０１は終了の指示が入力されたかを判定する。制御部５０１は終了の指示が入力されたと判定した場合（ステップ６０７のＹ）、処理を終了し、終了の指示が入力されていないと判定した場合（ステップ６０７のＮ）、ステップ６０１に戻る。
【００３５】
ここで、リストを印刷する場合には次のようにする。
（１）リーダライタ用ＰＣ５００は読込んだ無線タグの無線タグＩＤをＵＳＢメモリ４０５に出力する。
（２）ＵＳＢメモリ４０５はリーダライタ用ＰＣ５００から外され、プリンタ用ＰＣ４００に取り付けられる。
（３）プリンタ用ＰＣ４００はＵＳＢメモリ４０５から無線タグＩＤを順に読み出す。そして、プリンタ用ＰＣ４００は無線タグＩＤに基づいてログファイル４０４Ａを検索し、製品コードを読み出す。プリンタ用ＰＣ４００は製品コードに基づいて商品マスタ４０４Ｂを検索し、製品名を読み出す。
（４）プリンタ用ＰＣ４００は、プリンタ４０６によって記録媒体に無線タグＩＤ、製品コード、製品名を印刷する。
【００３６】
なお、ＵＳＢメモリ４０５によってリーダライタ用ＰＣ５００からプリンタ用ＰＣ４００に受け渡す情報は、無線ＬＡＮなどの他のデータ受け渡し方法を介して、受け渡しすることも可能である。
【００３７】
図６は本実施形態のリーダライタ１を示す斜視図、図７は図６におけるリーダライタ１のＡＡ線断面図、図８は図６のリーダライタ１の背面図、図９は図６のリーダライタ１の平面図である。
【００３８】
図６から図９に示すように、リーダライタ１は、筐体１１と、リーダライタ本体部２００と、を備える。筐体１１は、外形が略直方体をなし、正面に設置されるハンドル１５と、底面に設置されるキャスタ１６と、を有する。
【００３９】
リーダライタ１は、筐体１１の上面に設けられ、無線タグ１００が貼付された物品が投入される投入口１３と、筐体１１の上面に略水平に配置される天板１２と、投入口１３から天板１２の下方に延びるスロープ部材１４と、を備える。また、筐体１１の背面には取手１８を有するドア１７が設けられる。
【００４０】
図７に示すように、リーダライタ１は筐体１１の外面に配置され、電波を反射する電波反射体１１Ａと、筐体１１の内面に配置され、電波を吸収する電波吸収体１１Ｂと、を備える。
【００４１】
電波反射体１１Ａは、例えば金属によって形成される。リーダライタ１が医療現場において用いられる場合には、電波反射体１１Ａは金属の中でも消毒液に耐腐食性を有するステンレスを用いることが望ましい。
【００４２】
電波吸収体１１Ｂは、公知の電波吸収材料を用いることができる。無線タグ１００とリーダライタ本体部２００とがＵＨＦ帯の電波を用いて通信する場合にはＵＨＦ帯の電波を吸収する電波吸収材料を使用することが望ましい。
【００４３】
電波吸収材料としては、例えば、ポリスチレンやアクリルなどの合成樹脂、セルロース、カーボン含浸ポリウレタン、カーボン含浸発砲スチロール、フェライト、磁性シート、誘電材料含浸炭酸カルシウム、などが挙げられる。
【００４４】
天板１２は、筐体１１上面の背面側の端部から筐体１１の前後方向にほぼ中央部Ｘ２まで延びる。一方、スロープ部材１４は投入口１３の正面側の端部Ｘ１から背面方向下方に、筐体１１の側面に対して４５°以上であって９０°より小さい角度θを付けて天板１２の下部Ｘ３まで延びる。投入された物品の落下速度の点から、θは６０°がより好ましい。従って、スロープ部材１４の先端部は天板１２の先端部よりも天板１２の奥側（図７に向かって右側）に位置することとなる。よって、図９に示すように、平面視において天板１２とスロープ部材１４は重なり合う部分があり、内部が視認できない。
【００４５】
天板１２の外面には電波反射体１１Ａが設けられ、筐体１１の内側に面する下面には電波吸収体１１Ｂが設けられる。
【００４６】
スロープ部材１４は、投入される物品が接触して滑り落ちる面である上面に電波反射体１４Ａが配置され、電波反射体１４Ａの物品が接触する側と反対側の面である下面に電波吸収体１４Ｂが配置される。電波反射体１４Ａの材質は電波反射体１１Ａの材質と同様であり、電波吸収体１４Ｂの材質は電波吸収体１１Ｂの材質と同様である。
【００４７】
電波吸収体１１Ｂは、筐体１１の内面の一部にのみ設置される。筐体１１の内面に電波吸収体１１Ｂを均一に設けると、電波反射体１１Ａによって電波が均一に反射されるため、干渉を起こし、無線タグ１００を読み取ることができない、いわゆるヌルポイントが発生してしまう。
【００４８】
これに対し、電波吸収体１１Ｂを筐体１１の内面の一部にのみ設置し、電波吸収体１１Ｂが設けられない部分は電波反射体１１Ａを露出させた場合、電波は乱反射を起こし、ヌルポイントは発生しないか、発生しても一箇所に留まるのではなく、筐体１１の内部を移動する。従って、無線タグ１００を読みこぼしなく読み取ることが可能となる。
【００４９】
リーダライタ本体部２００のアンテナ２０２は、スロープ部材１４より下方の電波吸収体１１Ｂ又は電波吸収体１４Ｂの筐体１１の内側表面に配置される。アンテナ２０２は、スロープ部材１４より下方の筐体１１内のいずれの面に配置されてもよい。
【００５０】
リーダライタ本体部２００は、筐体１１の底面の下方に設けられる部屋又は棚に配置される。
【００５１】
無線タグ１００が貼付された物品が投入口１３から投入されると、物品はスロープ部材に沿って筐体１１の内部に落下する。そして、アンテナ２０２から放射される電波によって通信が行われる。アンテナ２０２から放射された余分な電波は、まず電波吸収体１１Ｂ、電波吸収体１４Ｂによって吸収され、吸収されきれなかった電波は電波反射体１１Ａ、電波反射体１４Ａによって反射される。この反射された電波は、さらに電波吸収体１１Ｂ、電波吸収体１４Ｂによって吸収される。
【００５２】
加えてスロープ部材１４は、平面視において天板１２と重複する部分があるように、天板１２の下方にまで角度θをつけて延びる。従って、天板１２の電波吸収体１１Ｂによって吸収しきれなかった電波のほとんどはスロープ部材１４の電波反射体１４Ａの上面によって天板１２の方向に反射されるため、投入口１３から漏れ出る電波を少なくすることが可能となる。
【００５３】
筐体１１の内面は、ポリカーボネートなどの樹脂によってコーティングされていることが衛生面から望ましい。
【００５４】
図１０は、無線タグ１００と、リーダライタ本体部２００の構成例を示すブロック図である。図１０に示すように、無線タグ１００は、演算装置を含む無線タグ制御部１０１と、データを記憶する記憶部１０２と、無線タグ制御部１０１が生成した信号を変調する変調部１０３と、変調された信号を送信する無線タグアンテナ１０６と、無線タグアンテナ１０６によって受信した信号を復調する復調部１０４と、受信した電磁波から電力を生成する電力生成部１０５と、を備える。無線タグ制御部１０１は、記憶部１０２へのデータの書き込み及び記憶部１０２からのデータの読み出しを行うとともに、リーダライタ本体部２００から受信したコマンドに従って動作し、応答信号をリーダライタ本体部２００に返信する。
【００５５】
リーダライタ本体部２００は、演算装置を含む演算部２０１Ａ及びデータを記憶する記憶部２０１Ｂを含むリーダライタ制御部２０１と、リーダライタ制御部２０１が生成した信号を変調する変調部２０５と、変調された信号を増幅する送信アンプ２０４と、信号の送出先を変更するサーキュレータ２０３と、無線タグ１００と電磁波によって信号を送受信するアンテナ２０２と、受信信号を増幅する受信アンプ２０６と、受信信号を復調する復調部２０７と、上位機種と接続するインターフェース（以下、Ｉ／Ｆ２０８という。）と、を備える。
【００５６】
リーダライタ制御部２０１は、Ｉ／Ｆ２０８を介して受信したパソコンなどの上位機種からの指示に基づいて、無線タグ１００に送信する送信信号を生成する。また、リーダライタ制御部２０１は無線タグ１００から受信した受信信号を処理して上位機種に送信する。
【００５７】
なお、スロープ部材１４の角度θが４０℃未満となる場合、投入口１３における天板１２の端部からスロープ部材１４までの開口面積が大きいものとなるため、電波が漏れやすくなる。従って、この場合には天板１２の投入口１３側端部に、例えば柔軟性のある電波吸収材料によって形成されたカーテンを設けることが望ましい。
【００５８】
以上述べたように、本実施形態のリーダライタ１は、無線タグ１００と通信するアンテナ２０２と、アンテナ２０２を内部に収納し、外側を電波反射体１１Ａによって覆い、内側に電波吸収体１１Ｂを備え、上面に天板１２、投入口１３、及び投入口１３の下方から天板１２の下方まで延びるスロープ部材１４を有する筐体１１と、を備える。
【００５９】
従って、環境への電波の漏出が少ない無線タグリーダライタを提供することが可能となるという効果がある。
【００６０】
（第２の実施形態）
本実施形態のリーダライタ１を含む物品管理システムの構成は、外部端末６００がリーダライタ用ＰＣ５００と相互に無線通信する点において異なる他は、第１の実施形態のリーダライタ１を含む物品管理システムの構成と同様である。
【００６１】
図１１は、本実施形態のリーダライタ１を含む物品管理システムの構成を示す図である。図１１に示すように、物品管理システムは、リーダライタ１と、リーダライタ用ＰＣ５００と、を備える。無線タグリーダライタシステムは、別に無線タグプリンタ３００と、プリンタ用ＰＣ４００を備えることができる。リーダライタ用ＰＣ５００はＵＳＢメモリ４０５などの携帯可能な記憶装置と接続することができる。リーダライタ用ＰＣ５００は外部端末６００と無線によって通信する。
【００６２】
ここで、外部端末６００は、有線通信あるいは無線通信可能なパーソナルコンピュータ、或いはいわゆるタブレット端末のような携帯情報端末を使用することができる。外部端末６００は、例えば、有線ＬＡＮ、あるいは、無線ＬＡＮ（ｌｏｃａｌ  ａｒｅａ  ｎｅｔｗｏｒｋ）などのネットワーク環境を介して、或いは直接にリーダライタ用ＰＣ５００と通信を行う。
【００６３】
次に、本実施形態の無線タグリーダライタシステムの動作について説明する。図１２は、本実施形態の無線タグリーダライタシステムのリーダライタ用ＰＣ５００の制御部５０１による動作のフローチャートである。図１２に示すように、ステップ１２０１において、外部端末６００は、患者コードを入力する。入力する値は、患者コードではなく、手術ごとに固有に割り当てる手術コードなどを入力しても良い。
【００６４】
ステップ１２０２において、外部端末６００はオペレータの指示により、リーダライタ用ＰＣ５００に読取開始指示を送信する。
【００６５】
ステップ１２０３において、リーダライタ用ＰＣ５００の制御部５０１は読取開始の指示を受信したかを判定する。制御部５０１は、読取開始の指示を受信したと判定した場合（ステップ１２０３のＹ）、ステップ１２０４に進み、読取開始の指示を受信していないと判定した場合（ステップ１２０３のＮ）、ステップ１２０７に進む。
【００６６】
ステップ１２０４において、制御部５０１はリーダライタ本体部２００を介してリーダライタ１に投入された物品３０２に貼付された無線タグラベル３０１の無線タグ１００を読み取る。読み取りは、読取終了又は読取中断の指示を外部端末から受信するまで、連続して行われる。
【００６７】
ステップ１２０５において、制御部５０１は読み取った無線タグ１００の無線タグＩＤと、読取時間と、をメモリに格納する。
【００６８】
ステップ１２０６において、外部端末６００はオペレータの指示があった場合に、読取終了指示をリーダライタ用ＰＣ５００に送信する。
【００６９】
ステップ１２０７において、制御部５０１は読取終了の指示を受信したかを判定する。制御部５０１は読取終了の指示を受信したと判定した場合（ステップ１２０７のＹ）、ステップ１２０８に進み、読取終了の指示を受信していないと判定した場合（読取中断の場合、ステップ１２０７のＮ）、ステップ１２０３に戻る。
【００７０】
ステップ１２０８において、制御部５０１はメモリに格納してあった情報を患者別実績ファイル５０４Ａに格納する。
【００７１】
ステップ１２０９において、制御部５０１は、患者別実績ファイル５０４Ａに格納が完了した旨の信号を外部端末６００に送信する。
【００７２】
ステップ１２１０において、外部端末６００は、オペレータの指示により終了指示をリーダライタ用ＰＣ５００に送信する。
【００７３】
ステップ１２１１において、制御部５０１は終了指示を受信したかを判定する。制御部５０１は終了指示を受信したと判定した場合（ステップ１２１１のＹ）、処理を終了し、終了指示を受信していないと判定した場合（ステップ１２１１のＮ）、ステップ１２０３に戻る。
【００７４】
以上述べたように、本実施形態の無線タグリーダライタシステムは、無線タグ１００の読取の開始と終了とを外部端末６００から有線通信あるいは無線通信によりリーダライタ用ＰＣ５００に指示することができる。
【００７５】
従って、手術室の外からも遠隔操作が可能となり、利便性がさらに向上するという効果がある。
【符号の説明】
【００７６】
１  リーダライタ
１１  筐体
１１Ａ  電波反射体
１１Ｂ  電波吸収体
１２  天板
１３  投入口
１４  スロープ部材
１４Ａ  電波反射体
１４Ｂ  電波吸収体
１５  ハンドル
１６  キャスタ
１７  ドア
１８  取手
１００  無線タグ
１０１  無線タグ制御部
１０２  記憶部
１０３  変調部
１０４  復調部
１０５  電力生成部
１０６  無線タグアンテナ
２００  リーダライタ本体部
２０１  リーダライタ制御部
２０１Ａ  演算部
２０１Ｂ  記憶部
２０２  アンテナ
２０３  サーキュレータ
２０４  送信アンプ
２０５  変調部
２０６  受信アンプ
２０７  復調部
３００  無線タグプリンタ
３０１  無線タグラベル
３０２  物品
４０１  制御部
４０２  入出力部
４０３  通信部
４０４  記憶部
４０４Ａ  ログファイル
５０１  制御部
５０２  入出力部
５０３  通信部
５０４  記憶部
５０４Ａ  患者別実績ファイル
４００  プリンタ用パーソナルコンピュータ
５００  リーダライタ用パーソナルコンピュータ
６００  外部端末
【図１】
2017210369.tif 000003
【図２】
2017210369.tif 000004
【図３】
2017210369.tif 000005
【図４】
2017210369.tif 000006
【図５】
2017210369.tif 000007
【図６】
2017210369.tif 000008
【図７】
2017210369.tif 000009
【図８】
2017210369.tif 000010
【図９】
2017210369.tif 000011
【図１０】
2017210369.tif 000012
【図１１】
2017210369.tif 000013
【図１２】
2017210369.tif 000014